(57)【要約】【課題】カメラ本体を小型化する。【解決手段】外装カバー１０の上側の壁面１４と左側の壁面１２に沿ってフレキシブル配線基板３０を設ける。昇圧トランス３１等の実装パーツをフレキシブル配線基板３０の内面に設ける。昇圧トランス３１は、外装カバー１０の左側の壁面１２と鏡筒ブロック２１の間に形成される略三角形の収容空間３４内に配置される。カメラ本体内の空間を有効に利用するので、カメラ本体を小型化することができる。【選択図】        図１
2004212786.tif 000002
【特許請求の範囲】
【請求項１】
カメラの外装カバーの隣接する少なくとも２つの壁面に沿って設けられたフレキシブル配線基板と、前記フレキシブル配線基板の内面に設けられた実装パーツとを備え、前記実装パーツが前記外装カバーと鏡筒ブロックの間に形成される収容空間内に配置されることを特徴とするフレキシブル配線基板の取付け構造。
【請求項２】
前記鏡筒ブロックが前記外装カバーの内壁面に近接して配置されることによって、前記収容空間の少なくとも一部が略三角形に形成されることを特徴とする請求項１に記載のフレキシブル配線基板の取付け構造。
【請求項３】
前記実装パーツが複数個あり、全ての実装パーツが前記収容空間内に配置されることを特徴とする請求項１に記載のフレキシブル配線基板の取付け構造。
【請求項４】
前記２つの壁面がカメラの上面と、この上面に隣接する側面であることを特徴とする請求項１に記載のフレキシブル配線基板の取付け構造。
【請求項５】
前記実装パーツが、前記カメラのストロボの発光制御回路に含まれる回路要素であることを特徴とする請求項１に記載のフレキシブル配線基板の取付け構造。
【請求項６】
前記発光制御回路に、ストロボの発光管を発光させるための電荷を蓄電するメインコンデンサが接続されることを特徴とする請求項５に記載のフレキシブル配線基板の取付け構造。
【請求項７】
前記メインコンデンサの一部の面と前記フレキシブル配線基板の少なくとも一部の面とが同一平面となるように構成されることを特徴とする請求項６に記載のフレキシブル配線基板の取付け構造。
【請求項８】
前記メインコンデンサが前記外装カバーの上側の壁面に沿って設けられることを特徴とする請求項６に記載のフレキシブル配線基板の取付け構造。
【請求項９】
前記回路要素が、ストロボ発光用のメインコンデンサに電荷を蓄電させるための昇圧トランスを備え、前記昇圧トランスと前記メインコンデンサは前記２つの壁面において、異なる壁面に沿って設けられることを特徴とする請求項５に記載のフレキシブル配線基板の取付け構造。
【発明の詳細な説明】
【０００１】
【発明の属する技術分野】
本発明は、例えばデジタルカメラのストロボを発光制御するための回路が設けられたフレキシブル配線基板の取付け構造に関する。
【０００２】
【従来の技術】
従来、デジタルカメラ等において、フレキシブル配線基板を利用して構成されたストロボの発光制御回路を搭載したものが知られている。このカメラの組立て工程では、フレキシブル配線基板が配置された後に、その上に種々の実装パーツが取付けられる。すなわち実装パーツは、カメラの外側すなわち外装カバーに対面するようにして設けられる（例えば特許文献１）。
【０００３】
【特許文献１】
特開２０００−５６３７３号公報
【０００４】
【発明が解決しようとする課題】
フレキシブル配線基板の上面において、各実装パーツの間に形成される空間は利用されていない。本発明は、このような現状に着目して、フレキシブル配線基板の取付け構造を改良し、カメラ本体を小型化することを目的としている。
【０００５】
【課題を解決するための手段】
本発明のフレキシブル配線基板の取付け構造は、カメラの外装カバーの隣接する少なくとも２つの壁面に沿って設けられたフレキシブル配線基板と、フレキシブル配線基板の内面に設けられた実装パーツとを備え、実装パーツが外装カバーと鏡筒ブロックの間に形成される収容空間内に配置されることを特徴としている。
【０００６】
好ましくは、鏡筒ブロックが外装カバーの内壁面に近接して配置されることによって、収容空間の少なくとも一部が略三角形に形成される。このような収容空間の中には比較的大きな実装パーツを収容することができる。
【０００７】
実装パーツが複数個ある場合には、全ての実装パーツが収容空間内に配置されることが好ましい。
【０００８】
フレキシブル配線基板が設けられる２つの壁面は、例えばカメラの上面と、この上面に隣接する側面である。
【０００９】
実装パーツは例えば、カメラのストロボの発光制御回路に含まれる回路要素である。この場合、発光制御回路には、ストロボの発光管を発光させるための電荷を蓄電するメインコンデンサが接続される。メインコンデンサの一部の面とフレキシブル配線基板の少なくとも一部の面とは同一平面となるように構成されることが好ましい。メインコンデンサは外装カバーの上側の壁面に沿って設けられてもよい。
【００１０】
回路要素が、ストロボ発光用のメインコンデンサに電荷を蓄電させるための昇圧トランスを備えているとき、昇圧トランスとメインコンデンサは外装カバーの２つの壁面において、異なる壁面に沿って設けられることが好ましい。
【００１１】
【発明の実施の形態】
以下、図面を参照して本発明の一実施形態について説明する。図１は、本発明の一実施形態であるフレキシブル配線基板の取付け構造を適用したデジタルカメラにおいて、外装カバーを取り外した状態を示す斜視図である。図２は図１に示すデジタルカメラの背面図である。
【００１２】
外装カバー１０はカメラの撮影光学系（図示せず）の光軸Ｏ方向の厚みが薄い、偏平な略直方体形状の箱型を呈する。カメラ本体を背面側から見ると、左側には鏡筒ブロック２１が配設され、右側にはメイン基板２２が配設されている。鏡筒ブロック２１は鏡筒２３を有し、全体的に円筒状を呈しており、鏡筒２３はカメラ本体の前面から突出している。メイン基板２２は略正方形を呈し、メイン基板２２には、このデジタルカメラの種々の動作を制御するためのＩＣチップ２４が設けられている。
【００１３】
鏡筒ブロック２１は、カメラ本体を背面側から見た状態において、外装カバー１０の下側の壁面１１と左側の壁面１２に近接して配置されている。また、メイン基板２２は外装カバー１０の下側の壁面１１と右側の壁面１３に近接して配置されている。
【００１４】
外装カバー１０の左側の壁面１２と上側の壁面１４によって略直角に形成される角部にはファインダブロック２５が設けられ、その右側にはズームギアブロック２６が配設されている。すなわち、ファインダブロック２５とズームギアブロック２６は鏡筒ブロック２１の上方に位置している。ファインダブロック２５にはファインダ光学系が設けられ、ズームギアブロック２６には撮影光学系（図示せず）のズーミングを行なうためのギアが設けられている。
【００１５】
メイン基板２２の上方にはメインコンデンサ２７が設けられている。メインコンデンサ２７は筒状を呈し、ズームギアブロック２６の右端面から外装カバー１０の右側の壁面１３まで延びている。メインコンデンサ２７は、カメラ本体の背面側に位置しており、メインコンデンサ２７の前側において、カメラ本体の中央部にはストロボ発光部２８が設けられている。メインコンデンサ２７は、ストロボ（発光管）を発光させるための電荷を蓄電するものである。
【００１６】
外装カバー１０の上側の壁面１４と左側の壁面１２に沿ってフレキシブル配線基板３０が設けられている。フレキシブル配線基板３０には、ストロボの発光制御回路（図示せず）が形成され、一方の端部はメインコンデンサ２７とストロボ発光部２８に接続されている。またフレキシブル配線基板３０の他方の端部は壁面１２の下端の近傍まで延び、鏡筒ブロック２１から突出する支持部材１５に固定されている。
【００１７】
フレキシブル配線基板３０には、発光制御回路に含まれる回路要素である複数の実装パーツが設けられている。実装パーツとしては、例えば、メインコンデンサ２７に電荷を蓄電させるための昇圧トランス３１と、その蓄電を制御するためのトランジスタ３２と、ストロボ光の調光を制御するための抵抗、コンデンサ、トランジスタ等の電気部品３３とが含まれる。昇圧トランス３１は他の回路要素（図示せず）と接続されて、バッテリ（図示せず）の電圧を昇圧してメインコンデンサ充電用の高電圧を生成するＤＣ／ＤＣコンバータを構成する、回路要素の中で最も体積が大きい。全ての実装パーツは、フレキシブル配線基板３０の内面すなわちカメラ本体の内側に設けられ、外装カバー１０と鏡筒ブロック２１及びファインダブロック２５等との間に形成される収容空間内に配置されている。鏡筒ブロック２１は、上述したように左側の壁面１２に近接して配設されているため、壁面１２と鏡筒ブロック２１の間には略三角形の収容空間３４が形成され、実装パーツのうち最も体積の大きい昇圧トランス３１は収容空間３４に収容されている。
【００１８】
図２に明示されるように、メインコンデンサ２７の上面２７ａと、フレキシブル配線基板３０のうちのファインダブロック２５とズームギアブロック２６の上側に設けられた部分の上面３０ａとは、同一平面となるように構成されている。ファインダブロック２５の上面はズームギアブロック２６よりも若干低く、フレキシブル配線基板３０とファインダブロック２５の間に形成される比較的薄い収容空間３５内には、抵抗、コンデンサ、トランジスタ等の電気部品３３が収容されている。
【００１９】
上述のように、メインコンデンサ２７は外装カバー１０の上側の壁面１４に沿って設けられ、昇圧トランス３１は左側の壁面１２に沿って設けられている。すなわち、メインコンデンサ２７と昇圧トランス３１は異なる壁面に沿って設けられており、左側の壁面１２の近傍には、バッテリ（図示せず）を収容するための空間が確保されている。
【００２０】
以上のように本実施形態では、フレキシブル配線基板３０が外装カバー１０の隣接する２つの壁面１２、１４に沿って設けられ、フレキシブル配線基板３０の内面（カメラ本体の内側）に昇圧トランス３１等の実装パーツが取付けられている。そしてこれらの実装パーツは、鏡筒ブロック２１等の周囲に形成される収容空間内に収容されている。一方、フレキシブル配線基板３０の外面は平面状であるため、外装カバー１０はその内壁面をフレキシブル配線基板３０に隙間無く沿わせる寸法にまで小型化できる。したがって従来装置のように無駄な空間がなく、カメラ全体をコンパクト化することができる。
【００２１】
図３に示されるように実装パーツ３６は、フレキシブル配線基板３０に対してハンダ１６により取付けられる。その取付け面はフレキシブル配線基板３０の内面すなわち折り曲げられる内側の面であり、ハンダ１６にはフレキシブル配線基板３０の曲げによって圧縮応力が発生し、実装パーツ３６はフレキシブル配線基板３０に常に接触しようとする。したがってフレキシブル配線基板３０の回路において、実装パーツとの間の断線は発生しにくい。
【００２２】
なお、本発明はデジタルカメラに限定されず、銀塩カメラにも適用できる。
【００２３】
【発明の効果】
以上のように本発明に係るフレキシブル配線基板の取付け構造によれば、カメラ本体内の空間を有効に利用するので、カメラ本体を小型化することができる。
【図面の簡単な説明】
【図１】本発明の一実施形態であるフレキシブル配線基板の取付け構造を適用したデジタルカメラにおいて、外装カバーを取り外した状態を示す斜視図である。
【図２】図１に示すデジタルカメラの背面図である。
【図３】実装パーツがフレキシブル配線基板に対してハンダにより取付けられた状態を示す図である。
【符号の説明】
１０  外装カバー
１１、１２、１３、１４  壁面
２１  鏡筒ブロック
３０  フレキシブル配線基板
３１  昇圧トランス（実装パーツ）
３４  収容空間
【図１】
2004212786.tif 000003
【図２】
2004212786.tif 000004
【図３】
2004212786.tif 000005